(57)【特許請求の範囲】
【請求項１】
鉄骨柱の下端部に設けられたベースプレートと、該ベースプレートに設けられた固定孔に、両端に形成されたネジ部がナットにより固定される略Ｕ字状のアンカーボルトと、前記ベースプレートと略平行に前記略Ｕ字状のアンカーボルトの底部が固定されたアンカープレートとを備えているとともに、
前記ベースプレートには、平面視で前記鉄骨柱の下面範囲位置にボルト固定用孔が設けられており、該ボルト固定用孔に下方から座屈防止用ボルトが螺合され、前記ベースプレートと前記アンカープレートとの間を支持可能とされていることを特徴とする鉄骨柱用アンカー装置。
【請求項２】
前記アンカープレートには、アンカー挿通用孔が設けられており、コンクリート基礎の上面に突設したアンカーを挿通し、該アンカーを固定部材により固定することで、前記コンクリート基礎に固定可能とされていることを特徴とする請求項１に記載の鉄骨柱用アンカー装置。
【請求項３】
前記略Ｕ字状のアンカーボルトが複数用いられていることを特徴とする請求項１又は２に記載の鉄骨柱用アンカー装置。
【請求項４】
前記略Ｕ字状のアンカーボルトの底部は、破断部又は切欠部が設けられ、前記アンカープレートに固定されていることを特徴とする請求項１乃至３のいずれか１項に記載の鉄骨柱用アンカー装置。
【請求項５】
請求項１乃至４のいずれか１項に記載の鉄骨柱用アンカー装置がコンクリート基礎上に設置され、少なくとも前記ベースプレートの高さ位置まで根巻コンクリートが打設されていることを特徴とする鉄骨柱支持構造。
【請求項６】
少なくとも２本の前記鉄骨柱が予め梁で繋がれていることを特徴とする請求項５に記載の鉄骨柱支持構造。
【請求項７】
請求項１乃至４のいずれか１項に記載の鉄骨柱用アンカー装置を備えた前記鉄骨柱をコンクリート基礎上に載置し、上部構造体を組み立てた後、前記鉄骨柱用アンカー装置の少なくとも前記ベースプレートの高さ位置まで根巻コンクリートを打設して、鉄骨造構造物を構築することを特徴とする鉄骨造構造物の構築方法。
【発明の詳細な説明】
【技術分野】
【０００１】
本発明は、鉄骨柱の下端部をコンクリート基礎に固定するための鉄骨柱用アンカー装置、この鉄骨柱用アンカー装置を用いた鉄骨柱支持構造、及びこの鉄骨柱支持構造を備えた鉄骨造構造物の構築方法に関するものである。
【背景技術】
【０００２】
従来から、鉄骨柱の下端部をコンクリート基礎に固定するための様々な鉄骨柱用アンカー装置が提案され、実施に供されている。
【０００３】
例えば、特許文献１に開示された従来の鉄骨柱用アンカー装置では、略Ｕ字状のアンカーボルトを用いることにより、大きな引抜抵抗が得られる構成とされている。
【先行技術文献】
【特許文献】
【０００４】
【特許文献１】特許第３７２９８９９号公報
【発明の概要】
【発明が解決しようとする課題】
【０００５】
しかしながら、上記した特許文献１のような従来の鉄骨柱用アンカー装置では、鉄骨柱の下端部のアンカーボルトの周囲のコンクリートが固化するまでは、それ以上の施工作業を行えない。
【０００６】
それ故に、例えば、せっかく工期の短縮が図れるユニット建物にしても、周囲に鉄骨造の階段などを設置する場合などは、この鉄骨造の階段などの工期の短縮が図れないという問題がある。
【０００７】
そこで、本発明は、大きな引抜抵抗が得られるうえに、工期の短縮が図れる鉄骨柱用アンカー装置、この鉄骨柱用アンカー装置を用いた鉄骨柱支持構造、及びこの鉄骨柱支持構造を備えた鉄骨造構造物の構築方法を提供することを目的としている。
【課題を解決するための手段】
【０００８】
前記目的を達成するために、本発明の鉄骨柱用アンカー装置は、鉄骨柱の下端部に設けられたベースプレートと、該ベースプレートに設けられた固定孔に、両端に形成されたネジ部がナットにより固定される略Ｕ字状のアンカーボルトと、前記ベースプレートと略平行に前記略Ｕ字状のアンカーボルトの底部が固定されたアンカープレートとを備えていることを特徴とする。
【０００９】
ここで、前記アンカープレートには、アンカー挿通用孔が設けられており、コンクリート基礎の上面に突設したアンカーを挿通し、該アンカーを固定部材により固定することで、前記コンクリート基礎に固定可能とされているとよい。
【００１０】
また、前記略Ｕ字状のアンカーボルトが複数用いられていてもよい。
【００１１】
また、前記略Ｕ字状のアンカーボルトの底部は、破断部又は切欠部が設けられ、前記アンカープレートに固定されていてもよい。
【００１２】
さらに、前記ベースプレートには、ボルト固定用孔が設けられており、該ボルト固定用孔に下方から座屈防止用ボルトが螺合され、前記ベースプレートと前記アンカープレートとの間を支持可能とされていてもよい。
【００１３】
本発明の鉄骨柱支持構造は、上記した鉄骨柱用アンカー装置がコンクリート基礎上に設置され、少なくとも前記ベースプレートの高さ位置まで根巻コンクリートが打設されていることを特徴とする。
【００１４】
ここで、少なくとも２本の前記鉄骨柱が予め梁で繋がれているとよい。
【００１５】
本発明の鉄骨造構造物の構築方法は、上記した鉄骨柱用アンカー装置を備えた前記鉄骨柱をコンクリート基礎上に載置し、上部構造体を組み立てた後、前記鉄骨柱用アンカー装置の少なくとも前記ベースプレートの高さ位置まで根巻コンクリートを打設して、鉄骨造構造物を構築することを特徴とする。
【発明の効果】
【００１６】
このような本発明の鉄骨柱用アンカー装置は、鉄骨柱の下端部に設けられたベースプレートと、ベースプレートに設けられた固定孔に、両端に形成されたネジ部がナットにより固定される略Ｕ字状のアンカーボルトと、ベースプレートと略平行に略Ｕ字状のアンカーボルトの底部が固定されたアンカープレートとを備えた構成とされている。
【００１７】
こうした構成なので、鉄骨柱の下端部は、アンカープレートで仮支持されるため、鉄骨造の階段などの鉄骨柱の上部構造体を先行して構築でき、工期の短縮を図ることができる。
【００１８】
そのうえ、略Ｕ字状のアンカーボルト周囲へのコンクリート打設後には、引抜力に対して、略Ｕ字状のアンカーボルトだけでなく、アンカープレートも抵抗するため、大きな引抜抵抗が得られる。
【００１９】
ここで、アンカープレートには、アンカー挿通用孔が設けられており、コンクリート基礎の上面に突設したアンカーを挿通し、アンカーを固定部材により固定することで、コンクリート基礎に固定可能とされている場合は、鉄骨柱の上部構造体を先行して構築する際に、鉄骨柱の下端部を強固に仮支持でき、施工性を高めることができ、そのうえ、アンカープレートがコンクリート基礎に固定されるため、より大きな引抜抵抗が得られる。
【００２０】
また、略Ｕ字状のアンカーボルトが複数用いられている場合は、鉄骨柱の上部構造体を先行して構築する際に、上部構造体の重量が大きなときなども、略Ｕ字状のアンカーボルトの部分が座屈せずに済み、そのうえ、略Ｕ字状のアンカーボルトが増えた分、さらにより大きな引抜抵抗が得られる。
【００２１】
また、略Ｕ字状のアンカーボルトの底部は、破断部又は切欠部が設けられ、アンカープレートに固定されている場合は、略Ｕ字状のアンカーボルトの底部をアンカープレートに溶接で固定するときは、破断部又は切欠部の存在により、溶接歪みによる悪影響を低減させて、全体の精度向上を図ることができる。
【００２２】
さらに、ベースプレートには、ボルト固定用孔が設けられており、ボルト固定用孔に下方から座屈防止用ボルトが螺合され、ベースプレートとアンカープレートとの間を支持可能とされている場合は、鉄骨柱の上部構造体を先行して構築する際に、上部構造体の重量がさらに大きなときなども、ベースプレートとアンカープレートとの間を、略Ｕ字状のアンカーボルトだけでなく、座屈防止用ボルトでも支持するので、略Ｕ字状のアンカーボルトの部分が座屈せずに済む。
【００２３】
このような本発明の鉄骨柱支持構造は、上記した鉄骨柱用アンカー装置がコンクリート基礎上に設置され、少なくともベースプレートの高さ位置まで根巻コンクリートが打設された構成とされている。
【００２４】
こうした構成なので、予め打設されたコンクリート基礎上に、上記した鉄骨柱用アンカー装置を設置し、少なくともベースプレートの高さ位置まで根巻コンクリートを打設すれば、上記した鉄骨柱用アンカー装置の効果を奏する鉄骨柱支持構造を簡易に構築することができる。
【００２５】
ここで、少なくとも２本の鉄骨柱が予め梁で繋がれている場合は、現場における鉄骨柱を梁で繋ぐ工程を省略できるので、さらに工期の短縮を図ることができる。
【００２６】
このような本発明の鉄骨造構造物の構築方法は、上記した鉄骨柱用アンカー装置を備えた鉄骨柱をコンクリート基礎上に載置し、上部構造体を組み立てた後、鉄骨柱用アンカー装置の少なくともベースプレートの高さ位置まで根巻コンクリートを打設して、鉄骨造構造物を構築する構成とされている。
【００２７】
こうした構成なので、鉄骨造構造物を、高精度のうえに、工期を短縮して構築することができる。
【図面の簡単な説明】
【００２８】
【図１】実施例１の鉄骨柱支持構造の概略構成を示す正面図である。
【図２】実施例１における鉄骨柱の上部の概略構成を示す正面図である。
【図３】実施例１の鉄骨柱用アンカー装置の概略構成を示す正面図である。
【図４】図３の側面図である。
【図５】図３におけるＡ−Ａ線矢視断面図である。
【図６】実施例１の鉄骨造構造物の構築方法において、上部構造体としての鉄骨造の階段を組み立てた状態を示す説明である。
【図７】実施例２の鉄骨柱用アンカー装置の概略構成を示す正面図である。
【図８】図７の側面図である。
【図９】図７におけるＢ−Ｂ線矢視断面図である。
【図１０】実施例３の鉄骨柱用アンカー装置の概略構成を示す正面図である。
【図１１】図１０の側面図である。
【図１２】図１０におけるＣ−Ｃ線矢視断面図である。
【図１３】実施例４の鉄骨柱用アンカー装置の概略構成を示す正面図である。
【図１４】図１３の側面図である。
【図１５】図１３におけるＤ−Ｄ線矢視断面図である。
【図１６】実施例５の鉄骨柱用アンカー装置の概略構成を示す正面図である。
【図１７】図１６の側面図である。
【図１８】図１６におけるＥ−Ｅ線矢視断面図である。
【図１９】実施例６の鉄骨柱用アンカー装置の概略構成を示す正面図である。
【図２０】図１９の側面図である。
【図２１】図１９におけるＦ−Ｆ線矢視断面図である。
【発明を実施するための形態】
【００２９】
以下、本発明を実施するための形態を、図面に示す実施例１〜６に基づいて説明する。
【実施例１】
【００３０】
先ず、実施例１の構成について説明する。
【００３１】
図１は、実施例１の鉄骨柱支持構造の概略構成を示している。
【００３２】
この実施例１の鉄骨柱支持構造は、地盤上に打設されたコンクリート基礎１の上に、根巻コンクリート２が打設され、この根巻コンクリート２内に鉄骨柱３の下端部が支持されている。
【００３３】
次に、この実施例１の鉄骨造構造物の構築方法を説明しながら、その詳細について説明する。
【００３４】
まず、地盤上に打設されたコンクリート基礎１内には、図２及び図３に示したように、鉄筋１０が配筋されている。
【００３５】
そして、コンクリート基礎１の上面から、ドリル等により、略垂直に２つの穴をあけ、これらの穴の中に、上側にねじ切り部４ａを有する２本のアンカー４，４を後施工で突設する。
【００３６】
ここで、鉄骨柱３，３の上端部間は、図２に示したように、梁１１で予め繋がれており、略門型を呈している。
【００３７】
また、鉄骨柱３の下端部は、実施例１の鉄骨柱用アンカー装置を備えている。
【００３８】
すなわち、この実施例１の鉄骨柱用アンカー装置は、図３及び図４に示したように、ベースプレート５と、略Ｕ字状のアンカーボルト６と、アンカープレート８とから主に構成されている。
【００３９】
ここで、このベースプレート５は、矩形平板状であり、鉄骨柱３の下端部に溶接により固定して設けられている。
【００４０】
また、この略Ｕ字状のアンカーボルト６は、ベースプレート５に設けられた２つの固定孔５ａ,５ａに、両端に形成されたネジ部６ａ，６ａが座金７ａを介してナット７，７によりそれぞれ固定されている。
【００４１】
なお、ネジ部６ａ，６ａでのナット７，７による固定位置により、鉄骨柱３の設置高さ位置の微調整が可能である。
【００４２】
さらに、このアンカープレート８は、矩形平板状であり、ベースプレート５と略平行となるように、略Ｕ字状のアンカーボルト６の底部に溶接により固定して設けられている。
【００４３】
ここで、アンカープレート８には、コンクリート基礎１に後施工で突設されたアンカー４よりも若干径の大きな２つのアンカー挿通用孔８ａ，８ａが設けられている。
【００４４】
そして、これらのアンカー挿通用孔８ａ，８ａへコンクリート基礎１に後施工で突設されたアンカー４，４のねじ切り部４ａ，４ａを挿通し、鉄骨柱３をコンクリート基礎１の上面に載置する。
【００４５】
そのうえで、座金９ａを介して、固定部材としてのナット９，９をアンカー４，４のねじ切り部４ａ，４ａに固定させると、鉄骨柱３がアンカープレート８の部分で仮支持された状態となる（図５も参照）。
【００４６】
この状態で、図６に示したように、既に構築したユニット建物Ｕの横に、上部構造体としての鉄骨造の階段Ｋを先行して組み立てる。
【００４７】
なお、アンカープレート８に設けられたアンカー挿通用孔８ａ，８ａは、アンカー４よりも若干径が大きくされているので、鉄骨造の階段Ｋの組み立てているときに、水平方向の位置修正が必要な際も対応可能である。
【００４８】
こうして、ベースプレート５よりも上の図３及び図４に２点鎖線で示した位置まで根巻コンクリート２を打設すると、鉄骨造構造物としての鉄骨造の階段Ｋ全体が構築される。
【００４９】
次に、実施例１の作用効果について説明する。
【００５０】
このような実施例１の鉄骨柱用アンカー装置は、鉄骨柱３の下端部に設けられたベースプレート５と、ベースプレート５に設けられた固定孔５ａ，５ａに、両端に形成されたネジ部６ａ，６ａがナット７，７により固定される略Ｕ字状のアンカーボルト６と、ベースプレート５と略平行に略Ｕ字状のアンカーボルト６の底部が固定されたアンカープレート８とを備えた構成とされている。
【００５１】
こうした構成なので、鉄骨柱３の下端部は、アンカープレート８で仮支持されるため、鉄骨造の階段などの鉄骨柱３の上部構造体を先行して構築でき、工期の短縮を図ることができる。
【００５２】
そのうえ、略Ｕ字状のアンカーボルト６周囲への根巻コンクリート２の打設後には、引抜力に対して、略Ｕ字状のアンカーボルト６だけでなく、アンカープレート８も抵抗するため、大きな引抜抵抗が得られる。
【００５３】
さらに、根巻コンクリート２は、ベースプレート５よりも上まで打設されているため、引抜力に対して、ベースプレート５も抵抗するため、より大きな引抜抵抗が得られる。
【００５４】
ここで、アンカープレート８には、アンカー挿通用孔８ａ，８ａが設けられており、コンクリート基礎１の上面に突設したアンカー４，４を挿通し、アンカー４，４を固定部材としてのナット９，９により固定することで、コンクリート基礎１に固定可能とされている。
【００５５】
このため、鉄骨柱３で支持する鉄骨造の階段などの上部構造体を先行して構築する際に、鉄骨柱３の下端部を強固に仮支持でき、施工性を高めることができ、そのうえ、アンカープレート８がコンクリート基礎１に固定されるため、さらにより大きな引抜抵抗が得られる。
【００５６】
また、略Ｕ字状のアンカーボルト６の両端には、ネジ部６ａ，６ａが形成されている。
【００５７】
このため、ネジ部６ａ，６ａでのナット７，７による固定位置により、鉄骨柱３の設置高さ位置の微調整が可能である。
【００５８】
さらに、アンカープレート８に設けられたアンカー挿通用孔８ａ，８ａは、アンカー４よりも若干径が大きくされている。
【００５９】
このため、鉄骨柱３で支持する鉄骨造の階段などの上部構造体を先行して構築しているときに、水平方向の位置修正が必要な際も対応可能である。
【００６０】
このような実施例１の鉄骨柱支持構造は、上記した実施例１の鉄骨柱用アンカー装置がコンクリート基礎１上に設置され、ベースプレート５よりも上の高さ位置まで根巻コンクリート２が打設された構成とされている。
【００６１】
こうした構成なので、上記した実施例１の鉄骨柱用アンカー装置の作用効果を奏する鉄骨柱支持構造を簡易に構築することができる。
【００６２】
ここで、２本の鉄骨柱３，３の上端部が予め梁１１で繋がれている。
【００６３】
このため、現場における鉄骨柱３，３を梁１１で繋ぐ工程を省略できるので、さらに工期の短縮を図ることができる。
【００６４】
このような実施例１の鉄骨造構造物の構築方法は、上記した鉄骨柱用アンカー装置を備えた鉄骨柱３をコンクリート基礎１の上面に載置し、上部構造体としての鉄骨造の階段Ｋを組み立てた後、鉄骨柱用アンカー装置のベースプレート５よりも上の高さ位置まで根巻コンクリート２を打設して、鉄骨造構造物としての鉄骨造の階段Ｋ全体を構築する構成とされている。
【００６５】
こうした構成なので、鉄骨造構造物としての鉄骨造の階段Ｋ全体を、高精度のうえに、工期を短縮して構築することができる。
【実施例２】
【００６６】
次に、実施例２について説明する。
【００６７】
なお、実施例１で説明した内容と同一乃至均等な部分の説明については同一符号を付して説明する。
【００６８】
図７〜図９は、実施例２の鉄骨柱用アンカー装置の概略構成を示している。
【００６９】
この実施例２の鉄骨柱用アンカー装置では、略Ｕ字状のアンカーボルト６が２つ用いられていることが、上記した実施例１の鉄骨柱用アンカー装置と主に異なる。
【００７０】
このため、鉄骨柱３で支持する上部構造体としての鉄骨造の階段Ｋを先行して構築する際に、階数が多いことなどで、この鉄骨造の階段Ｋの重量が大きなときも、略Ｕ字状のアンカーボルト６，６の部分が座屈せずに済み、そのうえ、略Ｕ字状のアンカーボルト６が増えた分、さらにより一層大きな引抜抵抗が得られる。
【００７１】
ここで、ベースプレート５よりも上の図７及び図８に２点鎖線で示した位置まで根巻コンクリート２を打設すると、図１に示した実施例１の鉄骨柱支持構造と外観は同様の実施例２の鉄骨柱支持構造となる。
【００７２】
なお、他の構成及び作用効果については、実施例１と略同様であるので説明を省略する。
【実施例３】
【００７３】
次に、実施例３について説明する。
【００７４】
なお、実施例１，２で説明した内容と同一乃至均等な部分の説明については同一符号を付して説明する。
【００７５】
図１０〜図１２は、実施例３の鉄骨柱用アンカー装置の概略構成を示している。
【００７６】
この実施例３の鉄骨柱用アンカー装置では、ベースプレート５の略中央にボルト固定用孔１２が設けられ、このボルト固定用孔１２の上部には、ナット１３が溶接により固定して設けられている。
【００７７】
そして、このボルト固定用孔１２に下方から座屈防止用ボルト１４が螺合され、ベースプレート５とアンカープレート８との間を支持可能とされていることが、上記した実施例２の鉄骨柱用アンカー装置と主に異なる。
【００７８】
このため、鉄骨柱３で支持する上部構造体としての鉄骨造の階段Ｋを先行して構築する際に、階数が多く、用いる部材が重いことなどで、この鉄骨造の階段Ｋの重量がさらに大きなときなども、ベースプレート５とアンカープレート８との間を、略Ｕ字状のアンカーボルト６，６だけでなく、座屈防止用ボルト１４でも支持するので、略Ｕ字状のアンカーボルト６，６の部分が座屈せずに済む。
【００７９】
ここで、ベースプレート５よりも上の図１０及び図１１に２点鎖線で示した位置まで根巻コンクリート２を打設すると、図１に示した実施例１，２の鉄骨柱支持構造と外観は同様の実施例３の鉄骨柱支持構造となる。
【００８０】
なお、他の構成及び作用効果については、実施例１，２と略同様であるので説明を省略する。
【実施例４】
【００８１】
次に、実施例４について説明する。
【００８２】
なお、実施例１で説明した内容と同一乃至均等な部分の説明については同一符号を付して説明する。
【００８３】
図１３〜図１５は、実施例４の鉄骨柱用アンカー装置の概略構成を示している。
【００８４】
この実施例４の鉄骨柱用アンカー装置では、略Ｕ字状のアンカーボルト６の底部に若干の隙間を有する破断部１５が設けられていることが、上記した実施例１の鉄骨柱用アンカー装置と主に異なる。
【００８５】
ここで、破断部１５の部分は溶接されていない。
【００８６】
このため、破断部１５の存在により、溶接歪みによる悪影響を低減させて、全体の精度向上を図ることができる。
【００８７】
また、略Ｕ字状のアンカーボルト６は、略Ｊ字状のアンカーボルトを一対用いればよいので、その分加工が容易で安価に実施することができる。
【００８８】
ここで、ベースプレート５よりも上の図１３及び図１４に２点鎖線で示した位置まで根巻コンクリート２を打設すると、図１に示した実施例１の鉄骨柱支持構造と外観は同様の実施例４の鉄骨柱支持構造となる。
【００８９】
なお、他の構成及び作用効果については、実施例１と略同様であるので説明を省略する。
【実施例５】
【００９０】
次に、実施例５について説明する。
【００９１】
なお、実施例１，２で説明した内容と同一乃至均等な部分の説明については同一符号を付して説明する。
【００９２】
図１６〜図１８は、実施例５の鉄骨柱用アンカー装置の概略構成を示している。
【００９３】
この実施例５の鉄骨柱用アンカー装置では、略Ｕ字状のアンカーボルト６の底部に若干の隙間を有する破断部１５が設けられていることが、上記した実施例２の鉄骨柱用アンカー装置と主に異なる。
【００９４】
ここで、破断部１５の部分は溶接されていない。
【００９５】
このため、破断部１５の存在により、溶接歪みによる悪影響を低減させて、全体の精度向上を図ることができる。
【００９６】
また、略Ｕ字状のアンカーボルト６は、略Ｊ字状のアンカーボルトを一対用いればよいので、その分加工が容易で安価に実施することができる。
【００９７】
ここで、ベースプレート５よりも上の図１６及び図１７に２点鎖線で示した位置まで根巻コンクリート２を打設すると、図１に示した実施例１の鉄骨柱支持構造と外観は同様の実施例５の鉄骨柱支持構造となる。
【００９８】
なお、他の構成及び作用効果については、実施例２と略同様であるので説明を省略する。
【実施例６】
【００９９】
次に、実施例６について説明する。
【０１００】
なお、実施例１，３で説明した内容と同一乃至均等な部分の説明については同一符号を付して説明する。
【０１０１】
図１９〜図２１は、実施例６の鉄骨柱用アンカー装置の概略構成を示している。
【０１０２】
この実施例６の鉄骨柱用アンカー装置では、略Ｕ字状のアンカーボルト６の底部に若干の隙間を有する破断部１５が設けられていることが、上記した実施例３の鉄骨柱用アンカー装置と主に異なる。
【０１０３】
ここで、破断部１５の部分は溶接されていない。
【０１０４】
このため、破断部１５の存在により、溶接歪みによる悪影響を低減させて、全体の精度向上を図ることができる。
【０１０５】
また、略Ｕ字状のアンカーボルト６は、略Ｊ字状のアンカーボルトを一対用いればよいので、その分加工が容易で安価に実施することができる。
【０１０６】
ここで、ベースプレート５よりも上の図１９及び図２０に２点鎖線で示した位置まで根巻コンクリート２を打設すると、図１に示した実施例１の鉄骨柱支持構造と外観は同様の実施例６の鉄骨柱支持構造となる。
【０１０７】
なお、他の構成及び作用効果については、実施例３と略同様であるので説明を省略する。
【０１０８】
以上、図面を参照して、本発明を実施するための形態を実施例１〜６に基づいて詳述してきたが、具体的な構成は、これら実施例１〜６に限らず、本発明の要旨を逸脱しない程度の設計的変更は、本発明に含まれる。
【０１０９】
例えば、上記した実施例１〜６では、根巻コンクリート２をベースプレート５よりも上まで打設して実施したが、これに限定されず、根巻コンクリート２をベースプレート５の高さ位置まで打設して実施してもよい。
【０１１０】
また、上記した実施例１〜６では、上部構造体を鉄骨造の階段Ｋとして実施したが、これに限定されず、例えば、鉄骨造の廊下、バルコニー、又はエントランスゲート等として実施してもよい。
【０１１１】
さらに、上記した実施例３〜６では、略Ｕ字状のアンカーボルト６の底部に破断部１５を設けて実施したが、これに限定されず、例えば、破断部１５の代わりに切欠部を設けて実施しても、溶接歪みによる悪影響を低減させて、全体の精度向上を図ることができる。
【符号の説明】
【０１１２】
１      コンクリート基礎
２      根巻コンクリート
３      鉄骨柱
４      アンカー
４ａ    アンカーのねじ切り部
５      ベースプレート
５ａ    ベースプレートの固定孔
６      略Ｕ字状のアンカーボルト
６ａ    略Ｕ字状のアンカーボルトのネジ部
７      ナット
７ａ    座金
８      アンカープレート
８ａ    アンカープレートのアンカー挿通用孔
９      ナット（固定部材）
９ａ    座金
１０    鉄筋
１１    梁
１２    ボルト固定用孔
１３    ナット
１４    座屈防止用ボルト
１５    破断部
Ｋ      鉄骨造の階段（上部構造体）
Ｕ      ユニット建物
【図１】
0005804714.tif 000002
【図２】
0005804714.tif 000003
【図３】
0005804714.tif 000004
【図４】
0005804714.tif 000005
【図５】
0005804714.tif 000006
【図６】
0005804714.tif 000007
【図７】
0005804714.tif 000008
【図８】
0005804714.tif 000009
【図９】
0005804714.tif 000010
【図１０】
0005804714.tif 000011
【図１１】
0005804714.tif 000012
【図１２】
0005804714.tif 000013
【図１３】
0005804714.tif 000014
【図１４】
0005804714.tif 000015
【図１５】
0005804714.tif 000016
【図１６】
0005804714.tif 000017
【図１７】
0005804714.tif 000018
【図１８】
0005804714.tif 000019
【図１９】
0005804714.tif 000020
【図２０】
0005804714.tif 000021
【図２１】
0005804714.tif 000022